(57)【要約】【課題】折り畳み可能な携帯電話機において、透明ディスプレイを用いることにより、閉状態での操作を容易にする携帯電話機を提供する。【解決手段】表示側筐体２１と入力側筐体２２とがヒンジ部１０で折り畳み可能に接続された携帯電話機であって、表示側筐体２１は、透過型ディスプレイ４と、タッチパネル７と、を備え、折り畳まれた閉状態において、タッチパネル７を介して入力された情報を、透過型ディスプレイ４に表示する。筐体閉状態において、タッチパネル７を介して情報の入力を可能とするとともに、入力した情報を表示可能とする携帯電話機を提供する。【選択図】図１
2012129764.tif 000002
【特許請求の範囲】
【請求項１】
表示側筐体と入力側筐体とがヒンジ部で折り畳み可能に接続された携帯電話機であって、
前記表示側筐体は、
透過型ディスプレイと、
タッチパネルと、を備え、
折り畳まれた閉状態において、前記タッチパネルを介して入力された情報を、前記透過型ディスプレイに表示する携帯電話機。
【請求項２】
前記タッチパネルは、前記透過型ディスプレイの領域の一部に重ねて配置され、
前記タッチパネルの機能を利用する場合、前記透過型ディスプレイの一部分に前記タッチパネルを介して入力された情報を表示し、
前記タッチパネルの機能を利用しない場合、タッチパネルが配置された領域も含めた、前記透過型ディスプレイの領域に情報を表示するように構成されていることを特徴とする請求項１記載の携帯電話機。
【請求項３】
前記入力側筐体は、前記タッチパネルを介して可視化可能な入力装置を備え、
前記タッチパネルは、前記入力装置を参照して情報の入力を可能にするように構成されていることを特徴とする請求項１または２記載の携帯電話機。
【請求項４】
前記表示側筐体は、前記タッチパネルの機能を利用可能とする入力モードと、前記透過型ディスプレイに情報を表示し、前記タッチパネルの機能を利用しない表示モードと、を切り替える切替手段を備えることを特徴とする請求項１乃至３のいずれか一項に記載の携帯電話機。
【請求項５】
前記切替手段は、前記タッチパネルの特定のキーを操作すること、切り替え用のスイッチを備えていること、のいずれかであることを特徴とする請求項４記載の携帯電話機。
【発明の詳細な説明】
【技術分野】
【０００１】
本発明は、携帯電話機のディスプレイに関し、特に、透明なディスプレイを用いた携帯電話機に関する。
【背景技術】
【０００２】
近年、携帯電話機として、二つの筐体をヒンジ部で接続し、折り畳み可能とするものが利用されている。このような携帯電話機では、キー入力を行う場合や入力した情報を表示する場合には、筐体開動作を伴っていた。例えば、キー入力を行う場合、携帯電話機の二つの筐体を開いた状態にして行う。従って、キー入力する場合には、携帯電話機の筐体開動作を行った後、キー入力を行うという操作手順となっていた。
【０００３】
例えば、特許文献１には、折り畳み式携帯電話機に第２の表示器を追加することなく、どんな開閉状態でも表示内容を確認できる携帯電話機が開示されている。
【先行技術文献】
【特許文献】
【０００４】
【特許文献１】特開２００１−２５７７５４号公報
【発明の概要】
【発明が解決しようとする課題】
【０００５】
特許文献１の携帯電話機では、筐体が閉じた状態でキー入力を可能とする技術が記載されている。しかしながら、キー入力した情報の確認について言及していない。通常、携帯電話機へキー入力を行った場合、入力した情報を確認し、その後の操作（例えば、発信など）の操作を行う。従って、キー入力とともに、入力した情報を確認できることが望ましい。
本発明は、折り畳み可能な携帯電話機において、透明ディスプレイを用いることにより、閉状態での操作を容易にする携帯電話機を提供することを目的とする。
【課題を解決するための手段】
【０００６】
本発明に係る携帯電話機の一態様は、表示側筐体と入力側筐体とがヒンジ部で折り畳み可能に接続された携帯電話機であって、前記表示側筐体は、透過型ディスプレイと、タッチパネルを備える。該携帯電話機は、折り畳まれた閉状態において、前記タッチパネルを介して入力された情報を、前記透過型ディスプレイに表示する。
【発明の効果】
【０００７】
本発明によれば、折り畳み可能な携帯電話機において、透明ディスプレイを用いることにより、閉状態での操作を容易にする携帯電話機を提供することが可能となる。
【図面の簡単な説明】
【０００８】
【図１】本発明に係る携帯電話機の構成例（筐体開状態）を示す図である。
【図２Ａ】本発明に係る携帯電話機の構成例（筐体閉状態）を示す図である。
【図２Ｂ】本発明に係る携帯電話機の構成例（筐体閉状態）を示す正面図である。
【図３Ａ】本発明に係る携帯電話機の表示例（筐体開状態）を示す図である。
【図３Ｂ】本発明に係る携帯電話機の表示例（筐体閉状態）を示す図である。
【図３Ｃ】本発明に係る携帯電話機の表示例（筐体閉状態の入力時）を示す図である。
【発明を実施するための形態】
【０００９】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００１０】
図１は、本発明に係る携帯電話機の構成例（筐体開状態）を示す図である。図１は、本願発明に関連する内部構成（概略）を側面から透視した図を示している。図２Ａは、本発明に係る携帯電話機の構成例（筐体閉状態）を示す図である。図２Ａは、本願発明に関連する内部構成を側面から透視した図を示している。図２Ｂは、本発明に係る携帯電話機の構成例（筐体閉状態）を示す正面図である。図１の筐体を閉じたときの状態が図２Ａ、２Ｂとなる。
【００１１】
携帯電話機は、透過型ディスプレイ４を持つ表示側筐体２１と入力装置２を持つ入力側筐体２２をヒンジ部１０で繋げた開閉動作可能筐体となっている。表示側筐体２１は、使用状況に応じて表示内容が変えられる透過型ディスプレイ４、筐体開状態の時に通話を可能とするスピーカー（開状態用スピーカー）５、筐体閉状態の時に通話を可能とするマイク（閉状態用マイク）６、スピーカー（閉状態用スピーカー）９、筐体閉状態の時に入力を可能とするタッチパネル７、及び、透明板８から構成される。入力側筐体２２は、入力装置２、反射板３、筐体開状態の時に通話を可能とするマイク（開状態用マイク）１、及び、開閉認識や各部位の使用を制御する制御部１１から構成される。
【００１２】
透過型ディスプレイ４は、透明な材料を用いたディスプレイである。透過型ディスプレイ４は、情報を表示する。また、透過型ディスプレイ４は、透明材料を用いることにより、携帯電話機を閉じた状態でも、情報を表示していない場合に入力装置２を可視化することができる。
タッチパネル７は、透明な材料を用いた入力手段であり、情報の入力を可能とする。本実施形態では、タッチパネル７を透明な材料で形成することにより、入力装置２を可視化し、入力装置２と同じキー操作（入力装置２を見てキー入力すること）を可能とする。
透明板８は、透過型ディスプレイ４に表示される情報を、筐体を閉じた状態で可視化するものであればよい。
【００１３】
本実施形態では、携帯電話機等の開閉動作の伴う入力装置において、ディスプレイ部に透過型ディスプレイ４とタッチパネル７とを組み合わせて使用する。これにより、開閉動作を行わなくても透過して見える、入力装置２のキー部分と同じ位置をタッチすることによってキー入力を可能とする。具体的には、携帯電話機は、筐体を閉じた状態において、透過型ディスプレイ４およびタッチパネル７を透過して入力装置２部分が見えるように構成されている。使用者によって、筐体を閉じたままタッチパネル７を用いて入力装置２の各キーと同位置をタッチされると、制御部１１は、該当キーの入力を感知する。その際、入力装置２の該当キーが明滅することにより使用者に入力されたことを認識しやすくしてもよい。入力装置２は、タッチパネル７を介してキー入力したときに、キー１つ１つを個別に明滅させることができることが好ましい。
【００１４】
タッチパネル７を介してキー入力した際に該当のキーを明滅させることにより使用者へキー入力したことと入力した箇所を容易に認知させることができる。また、使用者は筐体閉状態であっても、筐体開状態と同じ入力装置２を参照してキー操作を行うことができため、操作性が向上する。
【００１５】
筐体閉状態の入力時、筐体上部に表示領域を設け、使用者からの入力に応じて、入力された情報（数値、記号など）を表示する領域（入力時表示領域）を設けてもよい。図１では、透明板８の領域を、入力時表示領域として設けた例を示している。入力時表示領域により、筐体閉状態においても入力内容を使用者に認識させることを可能とする。例えば、筐体閉状態で使用者が電話番号を入力した場合、この領域により入力した電話番号を確認し、その後発信操作を実施することができる。
【００１６】
図２Ｂは、入力装置２が可視化された状態を示している。図２Ｂに示すように、筐体閉状態において、タッチパネル７が配置される領域は、タッチパネルとして使用する入力領域として機能する。また、透明板８が配置される領域は、入力内容が表示される入力時表示領域として機能する。入力領域は、タッチパネル７と透過型ディスプレイ４を透過して入力装置２が見える。従って、使用者は、入力装置２と同じ位置をタッチすることによって、入力装置２を操作したことと同じ結果を得られる。入力時表示領域は透明板８を透過して透過型ディスプレイを目視することができように構成される。これにより、使用者が入力した情報を認識することを可能とする。
【００１７】
図３Ａ、３Ｂ、及び３Ｃは、筐体開状態、筐体閉状態における表示状態の一例を示したものである。図３Ａに示す筐体開状態（状態１）では、制御部１１は、透過型ディスプレイ４に表示する情報を、筐体開状態の時に透過ディスプレイ側から文字が読みやすい向きに制御する。図３Ｂに示す筐体閉状態で情報表示する表示モード場合（状態２）、制御部１１は、透過型ディスプレイ４に表示する情報を、タッチパネル７側から使用者が透過型ディスプレイ４を見たときに文字が読みやすい向きに制御する。すなわち、制御部１１は、筐体閉状態で、表示側筐体２１のタッチパネル７が配置された側を使用者が見たときに文字が読みやすいように、表示する情報を制御する。使用者が簡単な情報（時刻など）を確認する際に使用できる。図３Ｃに示す筐体閉状態でタッチパネル７からキー入力する入力モード場合（状態３）、制御部１１は、透過型ディスプレイ４に表示する情報を、タッチパネル７より上に（入力時表示領域に）情報を表示し、タッチパネル７側から読みやすい向きに制御する。
【００１８】
各状態への変更は制御部１１で制御する。制御部１１は、開閉を検知するヒンジ部１０の状態にて開閉状態を認識し、筐体開状態の時を状態１とする。また、制御部１１は、筐体開状態から閉へ移行した場合は状態２（筐体閉状態の表示モード）とし、筐体閉状態の時にタッチパネルにて特定のジェスチャー入力（"＋"の入力など特定のキー操作）が行われた際に状態３へ移行する。
【００１９】
また、携帯電話機は、筐体閉状態において、表示モードと入力モードとを切り替える機能として、上述した、特定のジェスチャー入力に限られる事はなく、例えば、スイッチを備えていてもよい。スイッチは、携帯電話機が筐体閉状態である場合に使用者が操作できる手段であればよい。
【００２０】
上述した実施形態において、筐体閉状態において、透過型ディスプレイ４に情報を表示しないとき、入力装置２が見える状態となっている。
状態２（筐体閉状態の表示モード）において、制御部１１は、透過型ディスプレイ４に情報を表示し、入力装置２が見えないように制御する。例えば、表示する情報のサイズを、状態２における透過型ディスプレイ４の表示領域と一致させる。透過型ディスプレイ４に表示する情報を入力装置２が隠れるように表示することにより、入力装置２を使用者から見えないようにする。これにより、情報と入力装置２とが重なりあって情報が見えにくくなることを防ぐ。このとき、状態２における透過型ディスプレイ４の表示領域は、例えば、ジェスチャー入力に用いるキーを表示するように設定することが好ましい。あるいは、表示する情報に、ジェスチャー入力に用いるキーの押下位置を、情報として表示してもよい。
【００２１】
一方、状態３（筐体閉状態の入力モード）において、制御部１１は、透過型ディスプレイ４のうち、タッチパネル７の配置と重なる領域について、入力装置２、より具体的には入力装置２のキー一つ一つが見えるように、透過型ディスプレイ４に情報を表示しないで、透明化する。
【００２２】
また、制御部１１は、透過型ディスプレイ４の領域のうち、状態１−３それぞれに対応する表示領域のサイズを予め保持する。例えば、状態１では、透過型ディスプレイ４の全面のサイズを最大とする表示領域である。状態２では、筐体閉状態において、使用者が透過型ディスプレイを目視できる範囲の表示領域であり、状態３では、タッチパネルが配置される領域と、透明板８が配置される領域（入力時表示領域）である。制御部１１は、状態（状態１−３）の移行を検出すると、保持した情報に基づいて、透過型ディスプレイ４の表示領域を設定する。
【００２３】
以上説明したように、本発明の実施形態の一態様によれば、筐体開閉を行う携帯電話機において、筐体閉状態のままでも電話発信／通話することが可能になる。
また、透過型ディスプレイやタッチパネルなどを組み合わせることにより、筐体閉状態の機能を多様化することが可能になる。また、デザイン性の発想に富んだモデルの開発を行うことを可能とする。
【００２４】
なお、本発明は上記に示す実施形態に限定されるものではない。本発明の範囲において、上記実施形態の各要素を、当業者であれば容易に考えうる内容に変更、追加、変換することが可能である。
【符号の説明】
【００２５】
１，６マイク
２  入力装置
３  反射板
４  透過ディスプレイ
５、９  スピーカー
７  タッチパネル
８  透明板
１０  ヒンジ部
１１  制御部
２１  表示側筐体
２２  入力側筐体
【図１】
2012129764.tif 000003
【図２Ａ】
2012129764.tif 000004
【図２Ｂ】
2012129764.tif 000005
【図３Ａ】
2012129764.tif 000006
【図３Ｂ】
2012129764.tif 000007
【図３Ｃ】
2012129764.tif 000008